(57)【特許請求の範囲】
【請求項１】
気流中に固体粒子を含む固気二相流を流す鉄板製ダクトのダクト壁面構造であって、
上下方向の速度成分を有する流れとなる方向に設置された前記鉄板製ダクトの下端部またはダクト途中に設けられて前記気流から前記固体粒子を回収するホッパーを備え、
前記ホッパーの流れ方向上流側または下流側で前記固体粒子が衝突する内壁面領域に、鉄板より反発係数の小さい低反発構造部を設けたダクト壁面構造。
【請求項２】
前記低反発構造部が、前記鉄板製ダクトの内壁面との間に空間部を設けて設置され、前記固体粒子の通路となる開口部を備えた低反発部形成部材である請求項１に記載のダクト壁面構造。
【請求項３】
前記低反発構造部が、前記鉄板製ダクトの内壁面上に設置されて前記固体粒子の衝突で弾性変形する低反発部形成部材である請求項１に記載のダクト壁面構造。
【請求項４】
気流中に固体粒子を含む固気二相流を流す鉄板製ダクトのダクト壁面構造であって、
前記鉄板製ダクトの水平方向煙道部の流れ方向下流側に接続され、上下方向の速度成分を有する流れとなる方向に設置された前記鉄板製ダクトの煙道部の下端部または途中に設けられて前記気流から前記固体粒子を回収するホッパーを備え、
前記ホッパーの流れ方向上流側または下流側の流路部に、水平方向の気流に対向する複数面で構成された簾構造の鉄板より反発係数の小さい低反発構造部を設けたダクト壁面構造。
【請求項５】
前記固気二相流は、石炭焚きボイラより排出され、石炭灰を含む燃焼排ガスである請求項１から４のいずれか１項に記載のダクト壁面構造。
【発明の詳細な説明】
【技術分野】
【０００１】
本発明は、例えば石炭焚きボイラから排出される燃焼排ガスのように、気流中に固体粒子を含む固気二相流を流す鉄板製ダクトのダクト壁面構造に関する。
【背景技術】
【０００２】
従来、石炭焚きボイラでは、火炉内から石炭の燃焼により燃焼排ガスが排出される。この燃焼排ガス中には、炭種により詳細は異なるものの、フライアッシュや高空隙率大径灰（以下、「大径灰」と呼ぶ）と呼ばれる石炭灰（固体粒子）を含んでいる。
このうち、フライアッシュは、粒径が数μｍオーダーの非常に細かい粒子である。これに対して、大径灰は、粒径が概ね１ｍｍ以上と比較的大きくなるが、空隙率が高いため見かけ比重の小さい粒子となる。
【０００３】
石炭焚きボイラ１の火炉２から排出された固気二相流は、例えば図９に示すような鉄板製のダクトにより形成された煙道１０を通り、脱硝等の必要な処理を施した後、図示しない煙突等から大気へ放出される。
図９に示す煙道１０は、燃焼排ガスの流れ方向上流側から順に、すなわち火炉２側から順に、第１水平煙道部１１、第１垂直煙道部１２、第２水平煙道部１３，第２垂直煙道部１４，第３水平煙道部１５及び第３垂直煙道部１６が連続して設けられている。なお、図中の符号Ｇは燃焼排ガスの流れ、５０は大径灰を示している。
【０００４】
図示の構成例では、第１垂直煙道部１２及び第２鉛直煙道部１４の下端部にそれぞれ第１ホッパー２０及び第２ホッパー３０が設置され、火炉２から飛散してくる大径灰を回収するようになっている。さらに、第３鉛直煙道部１６には、燃焼排ガスを通過させて脱硝処理を行う脱硝装置４０が設置されている。第１垂直煙道部１２の下端部に設置された第１ホッパー２０は、回収した大径灰が落下するように角度設定された傾斜面２１を備えている。しかし、従来の傾斜面２１は、ダクトと同様に、鉄板製の壁面であるため反発係数が高く、従って、大きく反発した大径灰は、第１ホッパー２０を飛び越えて第２水平煙道部１３まで飛散する確率が高くなる。
【０００５】
特に、煙道１０の断面中央部は燃焼排ガスの流速が速いため、第１ホッパー２０を飛び越えて燃焼排ガスの速い流れに乗った大径灰は、見かけ比重が小さいこともあって、第２ホッパー３０でも回収されることなく脱走装置４０まで到達する可能性が高くなる。
脱硝装置４０は、例えば格子状酸化チタン担体の上に二酸化バナジウムを担持した脱硝剤（脱硝触媒）をパレットに入れ、このパレットを装置内に多数配置しておく構成となっている。このため、固気二相流の燃焼排ガスは、脱硝装置４０を通過して脱硝されるが、同時に、格子状の脱硝触媒は、燃焼排ガスとともに通過する大径灰による目詰まりが発生する。
【０００６】
このような脱硝触媒目詰まりを防止するため、例えば下記の特許文献１及び２に示すように、第１ホッパー２０の下流側煙道内に金網状の捕集用スクリーンＳを設置することが行われている。
【先行技術文献】
【特許文献】
【０００７】
【特許文献１】米国特許第６９９４０３６号明細書
【特許文献２】特開平２−９５４１５号公報
【特許文献３】特開２００８−２４１０６１号公報
【発明の概要】
【発明が解決しようとする課題】
【０００８】
ところで、第１ホッパー２０の下流側煙道内に設置された捕集用スクリーンＳは、スクリーン自体に摩耗や詰まりを生じることにより、スクリーン交換等が必要となり、運転コストを押し上げる原因となる。また、捕集用スクリーンＳに詰まりが生じると、煙道１０の有効流路断面積が低下して圧力損失を上昇させることも懸念される。
【０００９】
このような背景から、石炭焚きボイラから排出される燃焼排ガスのような固気二相流を流す煙道のダクト壁面構造においては、ホッパーにおける大径灰のような固体粒子の捕集率を向上させることにより、煙道下流側への流出を低減することが望まれる。
本発明は、上記の課題を解決するためになされたもので、その目的とするところは、固気二相流を流すホッパーを備えた鉄板製ダクトの煙道において、ホッパーにおける固体粒子の捕集率を向上させてダクト下流側への流出を低減できるダクト壁面構造を提供することにある。
【課題を解決するための手段】
【００１０】
本発明は、上記の課題を解決するため、下記の手段を採用した。
本発明に係るダクト壁面構造は、気流中に固体粒子を含む固気二相流を流す鉄板製ダクトのダクト壁面構造であって、上下方向の速度成分を有する流れとなる方向に設置された前記鉄板製ダクトの下端部またはダクト途中に設けられて前記気流から前記固体粒子を回収するホッパーを備え、前記ホッパーの流れ方向上流側または下流側で前記固体粒子が衝突する内壁面領域に、鉄板より反発係数の小さい低反発構造部を設けたことを特徴とするものである。
【００１１】
このようなダクト壁面構造によれば、ホッパーの流れ方向上流側または下流側で固体粒子が衝突する内壁面領域に、鉄板より反発係数の小さい低反発構造部を設けたので、低反発構造部に衝突した固体粒子の反発量が低下する。
この結果、低反発構造部がホッパーの流れ方向上流側にあれば、ホッパーを飛び越えて下流側へ飛散して流出する固体粒子量が減少するので、ホッパーにおける固体粒子の捕集率が向上する。また、低反発構造部がホッパーの流れ方向下流側にあれば、流速の速い流路断面中央及びその近傍まで到達し気流とともに下流側へ流出する固体粒子量が減少するので、気流から分離して落下した固体粒子を回収することでホッパーにおける固体粒子の捕集率が向上する。
【００１２】
上記の発明において、前記低反発構造部は、前記鉄板製ダクトの内壁面との間に空間部を設けて設置され、前記固体粒子の通路となる開口部を備えた低反発部形成部材であることが好ましい。この場合、低反発部形成部材の開口部を通過した固体粒子は、内壁面に衝突して反発した後、低反発部形成部材の背面側に再度衝突する確率が高いため、内壁面に沿って空間部を落下してホッパーに回収される。また、鉄板より反発係数の低い低反発部形成部材に衝突した固体粒子は、反発量の低下によりホッパーにおける捕集率が向上する。
好適な低反発部形成部材は、例えば金網、グレーチング、多孔板等のように、固体粒子が通過できる大きさの開口部を多数備えた格子状のものが望ましく、特に、金網等のように弾性変形する素材を採用すれば、弾性変形により固定粒子の衝突エネルギーを効率よく吸収することが可能になる。
【００１３】
上記の発明において、前記低反発構造部は、前記鉄板製ダクトの内壁面上に設置されて前記固体粒子の衝突で弾性変形する低反発部形成部材であることが好ましく、これにより、低反発部形成部材に衝突した固体粒子は、弾性変形により固定粒子の衝突エネルギーを効率よく吸収されるため、反発量の低下によりホッパーにおける捕集率が向上する。
なお、低反発部形成部材は、例えばワイヤー、金網、断熱材等のように、固体粒子の衝突で弾性変形する素材を採用すればよい。
【００１４】
また、本発明に係るダクト壁面構造は、気流中に固体粒子を含む固気二相流を流す鉄板製ダクトのダクト壁面構造であって、前記鉄板製ダクトの水平方向煙道部の流れ方向下流側に接続され、上下方向の速度成分を有する流れとなる方向に設置された前記鉄板製ダクトの煙道部の下端部または途中に設けられて前記気流から前記固体粒子を回収するホッパーを備え、前記ホッパーの流れ方向上流側または下流側の流路部に、水平方向の気流に対向する複数面で構成された簾構造の鉄板より反発係数の小さい低反発構造部を設けたものでもよい。
上記の発明において、前記固気二相流は、石炭焚きボイラより排出されて石炭灰を含む燃焼排ガスであり、この場合、低反発部に衝突した石炭灰の大径灰は、反発量の低下によりホッパーの捕集率が向上し、下流に設置されている脱硝装置への到達量が減少する。
【発明の効果】
【００１５】
上述した本発明によれば、固気二相流を流すホッパーを備えた鉄板製ダクト（煙道）において、ホッパーにおける固体粒子の捕集率を向上させてダクト下流側への流出を低減できる。
【図面の簡単な説明】
【００１６】
【図１】本発明に係るダクト壁面構造の一実施形態として、石炭焚きボイラの煙道を示す縦断面図である。
【図２】図１に示したダクト壁面構造において、第１ホッパー周辺構造を拡大して示す縦断面図である。
【図３】図２に示した低反発構造部の第１具体例を示す図で、（ａ）は壁面との間に空間を設けて多数の開口部を有する部材を設置した低反発構造部の概要を示す斜視図、（ｂ）は開口部を通過した固体粒子の動きを示す断面図、（ｃ）は開口部を通過できなかった固体粒子の動きを示す断面図である。
【図４】図２に示した低反発構造部の第２具体例を示す図で、（ａ）は壁面にワイヤー等の低反発部材を設置した低反発構造部の概要を示す斜視図、（ｂ）は（ａ）の断面図である。
【図５】図２に示した低反発構造部の第３具体例を示す図で、壁面に低反発部材を略平面状に設置した低反発構造部の断面図である。
【図６】図１に示したダクト壁面構造において、第２ホッパー周辺構造を拡大して示す縦断面図である。
【図７】２種類の低反発部材について、固体粒子の粒子径と飛散低減率との関係を示す図である。
【図８】本発明のダクト壁面構造を適用可能な他の煙道例を示す図で、（ａ）は水平煙道部及び上向きに流す垂直煙道部により構成された煙道例、（ｂ）は傾斜煙道により構成された煙道例、（ｃ）は水平煙道部及び下向きに流す垂直煙道部により構成された煙道例である。
【図９】従来のダクト壁面構造例として、石炭焚きボイラの煙道を示す縦断面図である。
【発明を実施するための形態】
【００１７】
以下、本発明に係るダクト壁面構造の一実施形態を図面に基づいて説明する。
図１に例示するダクト壁面構造は、石炭焚きボイラ１の火炉２から排出された固気二相流の燃焼排ガスを流すものであり、図示しない煙突等から大気へ放出するための煙道１０である。この煙道１０は、鉄板製のダクトにより形成された燃焼排ガス流路であり、一般的には矩形断面を有している。火炉２から排出される燃焼排ガスは、フライアッシュや大径灰と呼ばれる石炭灰（固体粒子）を含む固気二相流であり、煙道１０を通る際に脱硝等の必要な処理を施した後、図中に矢印Ｇで示すように流れて図示しない煙突等から大気へ放出される。
【００１８】
図示の煙道１０は、燃焼排ガスの流れ方向上流側となる火炉２側から順に、第１水平煙道部１１、第１垂直煙道部１２、第２水平煙道部１３，第２垂直煙道部１４，第３水平煙道部１５及び第３垂直煙道部１６が連続して設けられている。
また、図示の煙道１０では、下向きの速度成分を有する燃焼排ガスが流れる第１垂直煙道部１２の下端部に第１ホッパー２０Ａを設置し、さらに、上向きの速度成分を有する燃焼排ガスが流れる第２垂直煙道部１４の下端部に第２ホッパー３０Ａを設置している。そして、燃焼排ガスが下向きに流れる第３鉛直煙道部１６には、燃焼排ガスを通過させて脱硝処理を行う脱硝装置４０を設置している。
【００１９】
上述した第１ホッパー２０Ａ及び第２ホッパー３０Ａは、主として燃焼排ガス中に含まれる大径灰の回収を目的として設置されたものである。なお、非常に粒径の小さいフライアッシュについては、燃焼排ガスの気流からほとんど分離されることはなく、従って、大径灰のように第１ホッパー２０Ａ及び第２ホッパー３０Ａで回収されることなく煙道１０内を流れていく。
【００２０】
第１ホッパー２０Ａは、図１及び図２に示すように、大径灰が落下するように安息角以上となるように角度設定された傾斜面２１を上流側に備えている。本実施形態では、第１ホッパー２０Ａでの捕集率を効果的に向上させるため、第１ホッパー２０Ａの上流側となる傾斜面２１を鉄板より反発係数の小さい低反発構造の低反発部（低反発構造部）６０とする。
すなわち、傾斜面２１は、第１ホッパー２０Ａの上流側近傍（ホッパー付近）に位置する煙道１０のダクト内壁面でもあり、この傾斜面２１を低反発構造の低反発部６０とすることにより、下向きの気流とともに落下してきた大径灰５０は、低反発部６０に衝突した際の反発量が抑制される。
【００２１】
この結果、下向きの気流（下向きの速度成分を有する燃焼排ガスの流れ）とともに落下してきた大径灰５０は、鉄板である従来の傾斜面２１に直接衝突した際の反発量より低下した反発をするので、第１ホッパー２０Ａを飛び越えて第２水平煙道部１３まで飛散する確率が低くなり、従って、第１ホッパー２０Ａにおける大径灰捕集率が向上する。このような大径灰捕集率の向上は、煙道１０の下流側へ飛散して流出する大径灰５０の量を低減するので、第３垂直煙道部１６に設置されている脱硝装置４０まで到達するＬＰＡ量を低減できる。
【００２２】
ここで、上述した低反発部６０について、具体的な構成例を図面に基づいて説明する。
図３に示す第１具体例の低反発部６０Ａは、鉄板製ダクトの内壁面である傾斜面２１との間に空間部６１を設けて金網（低反発部形成部材）６２を設置したものである。この金網６２には、大径灰５０の通路となる開口部６２ａが多数設けられている。
このような低反発部６０Ａを採用すれば、図３（ｂ）に示すように、金網６２の開口部６２ａを通過した固体粒子は、鉄板製のダクト内壁面である傾斜面２１に衝突して反発するが、この後、金網６２の背面側に再度衝突する確率が高い。このため、金網６２の背面側に衝突した大径灰５０は、傾斜面２１に沿って空間部６１を落下し、最終的に第１ホッパー２０Ａに回収される。
【００２３】
一方、大径灰５０は、全てが金網６２の開口部６２ａを通過するわけではなく、線状の部材を格子状に組み合わせた金網６２に衝突するものもある。金網６２の線状部材に衝突した大径灰５０は、図３（ｃ）に示すように、通常鉄板より反発係数が低く弾性変形しやすい部材に衝突することになり、この結果、反発量の低下により第１ホッパー２０Ａに回収される確率が高くなる。
このように、上述した底反発部６０Ａは、金網６２の開口部を通過した大径灰５０及び金網６２に衝突した大径灰５０を効率よく第１ホッパー２０Ａに回収できるため、第１ホッパー２０Ａにおける大径灰５０の捕集率向上に有効である。
【００２４】
ところで、上述した第１具体例では、低反発部材を金網６２としたが、この具体例に好適な低反発部材としては、金網６２の他にも、例えばグレーチング、多孔板、簾構造（鎧戸）等のように、大径灰５０が通過できる大きさの開口部を多数備えた格子状のものが使用可能である。
特に、金網６２の線状部材等のように、大径灰５０の衝突を受けて弾性変形する素材の格子状低反発部材を採用すれば、弾性変形により大径灰５０の衝突エネルギーを効率よく吸収して反発量を低減することが可能になる。また、衝突した大径灰５０が回転することにより、反発量を低減することも可能になる。
【００２５】
図４に示す第２具体例の低反発部６０Ｂは、傾斜面２１の壁面上に適所を固定して多数のワイヤー（低反発部形成部材）６３を設置したものである。ワイヤー６３は、鉄板と比較して剛性が低く、大径灰５０の衝突で弾性変形する素材である。従って、ワイヤー６３は、複数本を束ねた状態にして使用すれば着脱や固定が容易であり、必要に応じて上下方向及び左右方向を適宜組み合わせた格子状に配置することが望ましい。
このようなワイヤー６３は、大径灰５０が衝突すると弾性変形により衝突エネルギーを効率よく吸収するため、衝突した大径灰５０の反発量低下により第１ホッパー２０Ａの捕集率が向上する。さらに、大径灰５０がワイヤー６３に衝突すると、大径灰５０が回転しやすくなるので、これによっても速度エネルギーが低減して反発しにくくなる。
【００２６】
ところで、上述した第２具体例では、低反発部材をワイヤー６３としたが、この具体例に好適な低反発部材としては、ワイヤー６３の他にも、例えば金網等のように、大径灰５０の衝突で弾性変形する素材で構成されたものを採用可能である。
また、第３具体例として図５に示す低反発部６０Ｃのように、低反発部材として断熱材６４等のような平板状素材を採用して傾斜面２１に張り付けることも可能である。なお、断熱材６４を採用する場合には、煙道１０の内壁面側となる断熱材６４の表面に、すなわち大径灰５０が衝突する断熱材表面に反発係数の高い鉄板等のライナーが設けられることはない。
【００２７】
このような断熱材６４は、大径灰５０が衝突すると弾性変形により衝突エネルギーを効率よく吸収するため、衝突した大径灰５０の反発量低下により第１ホッパー２０Ａの捕集率が向上する。
なお、平板状の低反発部６０Ｃは、断熱材６４の他にも、例えば鉄板より反発係数が小さいゴム系素材やプラスチック製素材を採用可能である。
【００２８】
次に、図６に示す低反発構造の低反発部（低反発構造部）７０，８０は、第２ホッパー３０Ａの下流側で大径灰５０が衝突する内壁面領域または流路部に設けられている。すなわち、第２ホッパー３０Ａは、上向きの気流（上向きの速度成分を有する燃焼排ガスの流れ）が流れる第２垂直煙道部１４の下端部に設置され、第２ホッパー３０Ａの下流側に鉄板より反発係数の小さい低反発構造部７０，８０が設けられている。
【００２９】
図６に示す低反発構造部７０は、第２ホッパー３０Ａの下流側となる煙道１０の流路部に、具体的には、第２水平煙道部１３と第２垂直煙道部１４との接続部で水平方向から上向きに気流の流れ方向を変える煙道流路内に、換言すれば、第２ホッパー３０Ａの上方となる煙道流路内に設けられている。この低反発構造部７０は、例えば水平方向の気流に対向する複数面で構成された簾構造とされ、簾構造の面に衝突した大径灰５０が失速して第２ホッパー３０Ａに落下するので、第２ホッパー３０Ａの捕集率が向上する。
【００３０】
また、図６に示す低反発部８０は、第２ホッパー３０Ａの下流側で大径灰５０が衝突する内壁面領域に、具体的には、第２水平煙道部１３を流れる水平方向な気流が衝突する第２垂直煙道部１４の壁面部に設けられている。この低反発部８０には、例えば金網、ワイヤーの束、グレーチング等を採用できる。
このような低反発部８０を設けると、第２水平煙道部１３を水平方向に流れる気流に乗った大径灰５０の多くは、慣性力により突き当たりの内壁面領域に設けた低反発部８０に衝突する。この衝突により反発した大径灰５０は、第２垂直流路１４の流路断面中央方向へ向かうが、従来の鉄板より反発係数が低下しているため、流速の速い流路断面中央及びその近傍まで到達する割合が減少する。
【００３１】
すなわち、低反発部８０が第２ホッパー３０Ａの流れ方向下流側にあれば、低反発部８０に衝突した大径灰５０の反発量低下により、流速の速い流路断面中央及びその近傍まで到達して気流とともに下流側へ流出する大径灰５０の量が減少する。この結果、気流から分離して落下する大径灰５０が増加するので、この大径灰５０を第２ホッパー３０Ａで回収すれば、第２ホッパー３０Ａにおける大径灰５０の捕集率が向上する。
この場合、低反発部８０には、上述した第１具体例から第３具体例の構成を採用でき、また、諸条件に応じて低反発部７０と適宜組み合わせた構成も可能である。
【００３２】
ここで、鉄板より反発係数の小さい素材を例示すると、ゴム系素材やプラスチック系素材の他には、例えばステンレススチール、銅、アルミニウム、燐青銅、モネル、高耐食合金（ＨＣ−２２，ＨＣ−２７６）、ニッケル基の超合金（インコネル６００、インコネル６０１；登録商標）、ニッケル、ニッケル２０１等がある。これらは、上述した板状、金網及びワイヤー等の状態として、適宜選択しての使用が可能である。
【００３３】
さて、上述した低反発構造について、固体粒子の直径である粒子径（ｍｍ）と飛散低減率（％）との関係を数値シミュレーションにより試算した結果を図７に示す。すなわち、図７は低反発構造の有効性を検証した試算であり、飛散低減率が大きくなる粒子径ほど、上述した低反発構造が有効となる。
図７に示す関係では、二種類の低反発構造（低反発ａ，低反発ｂ）について試算しているが、粒子径（ｄ）が略０．３ｍｍから飛散低減率の向上が始まり、粒子径（ｄ）が略５ｍｍまで大きくなると飛散低減率は１００％となる。従って、上述した本実施形態の低反発構造は、固体粒子の粒子径（ｄ）が０．３ｍｍ以上５ｍｍ以下の範囲で有効となる。
【００３４】
また、図８に示す煙道（鉄板製のダクト構造）は、上述した実施形態のダクト壁面構造を適用可能な他の構成例である。
図８（ａ）に示す煙道１０は、図１に示した実施形態と同様に、水平煙道部及び上向きに流す垂直煙道部により構成された煙道例である。この煙道例では、第２水平煙道部１３の両端部に接続された第１垂直煙道部１２の下端部及び第２垂直煙道部１４の下端部に、それぞれ第１ホッパー２０Ａ及び第２ホッパー３０Ａが設置されている。
【００３５】
図８（ｂ）に示す煙道１０Ａは、第１垂直煙道１２と水平煙道部１５Ａとの間が、流れに上向きの速度成分を有する傾斜煙道１７により構成された煙道例である。この煙道例では、第１垂直煙道部１２の下端部に第１ホッパー２０Ａが設置され、傾斜煙道１７の途中に第２ホッパー３０Ｂが設置されている。
この煙道例では、第２ホッパー３０Ｂの下流側となる流路部に、例えば簾状の低反発構造を設けることで、捕集率向上を達成できる。
【００３６】
図８（ｃ）に示す煙道１０Ｂは、水平煙道部及び下向きに流す垂直煙道部により構成された煙道例である。すなわち、図８（ａ）に示した第２垂直煙道部１４に代えて、第２水平煙道部１３の端部から下向きに設けた第２垂直煙道部１４Ａを備えている。この煙道例では、第２ホッパー３０Ｃの下流側で上下方向下向きに流れるので、第２ホッパー３０Ｃの上流側または下流側の流路部に、例えば簾状の低反発構造を設けて捕集率を向上させることができる。
【００３７】
このように、上述した本実施形態によれば、石炭焚きボイラ１より排出された石炭灰を含む燃焼排ガス（固気二相流）を流す鉄板製ダクト（煙道）においては、ダクトの途中に設けたホッパーの大径灰捕集率を向上させることができるので、ダクト下流側への流出を低減できる。この結果、例えば脱硫装置４０まで到達する大径灰を低減し、脱硝触媒の目詰まりを抑制または防止することができる。
【００３８】
ところで、上述した実施形態では、気流中に固体粒子を含む固気二相流を石炭焚きボイラ１の火炉２から排出される石炭灰としたが、本実施形態のダクト壁面構造を採用した鉄板製のダクトは、例えば固体粒子として煤、鉄粉、ディーゼル排気微粒子及び未燃粒子を含む各種の気流を流す装置に適用可能である。
なお、本発明は上述した実施形態に限定されることはなく、その要旨を逸脱しない範囲内において適宜変更することができる。
【符号の説明】
【００３９】
１    石炭焚きボイラ
２    火炉
１０，１０Ａ，１０Ｂ    煙道
２０，２０Ａ    第１ホッパー
２１    傾斜面
３０，３０Ａ〜３０Ｃ    第２ホッパー
４０    脱硝装置
５０    高空隙率大径灰（大径灰）
６０，６０Ａ〜６０Ｃ，７０，８０    低反発部（低反発構造部）
【図１】
0006005015.tif 000002
【図２】
0006005015.tif 000003
【図３】
0006005015.tif 000004
【図４】
0006005015.tif 000005
【図５】
0006005015.tif 000006
【図６】
0006005015.tif 000007
【図７】
0006005015.tif 000008
【図８】
0006005015.tif 000009
【図９】
0006005015.tif 000010